(57)【要約】【課題】ウイング部を下着の前開き部に折り返して固定することにより、装着時のズレを確実に防止するとともに、ウイング部の装着が容易にできるようにする。【解決手段】男性用吸収性物品１を男性用下着３０の内側の股間部に配置した状態で、外側前立て開口部３３ｂからウイング用剥離シート１１を引っ張り出すことにより、ウイング部６が基端部から折り返され、内側前立て開口部３３ａから表側前立て部３１と裏側前立て部３２との間に挿入されると同時に、ウイング用剥離シート１１がウイング用ズレ止め粘着剤層１０から剥離してウイング用ズレ止め粘着剤層１０が裏側前立て部３２に貼着されるようにする。【選択図】図１
2019154888.tif 000002
【特許請求の範囲】
【請求項１】
表側前立て部と裏側前立て部とを重ね合わせて内側と外側にそれぞれ前立て開口部が備えられた男性用下着に貼着して使用可能な男性用吸収性物品において、
前記男性用吸収性物品の幅方向の一方側に向けて延在するとともに、装着時に基端部から幅方向の他方側に折り返すことにより前記内側の前立て開口部から前記表側前立て部と裏側前立て部との間に挿入可能なウイング部が形成されるとともに、前記ウイング部を前記表側前立て部と裏側前立て部との間に挿入した際、前記裏側前立て部に対向する前記ウイング部の面にズレ止め粘着剤層が形成され、前記ズレ止め粘着剤層が剥離シートによって剥離可能に覆われており、
前記男性用吸収性物品を男性用下着の内側の股間部に配置した状態で、前記外側の前立て開口部から前記剥離シートを引っ張り出すことにより、前記ウイング部が基端部から折り返され、前記内側の前立て開口部から前記表側前立て部と裏側前立て部との間に挿入されると同時に、前記剥離シートが前記ズレ止め粘着剤層から剥離して前記ズレ止め粘着剤層が前記裏側前立て部に貼着されるようにしたことを特徴とする男性用吸収性物品。
【請求項２】
前記剥離シートには、前記ウイング部の基端側に対応する辺に摘み部が設けられている請求項１記載の男性用吸収性物品。
【請求項３】
前記摘み部は、前記剥離シートにおける前記ウイング部の基端側に対応する辺の全長に亘って形成されている請求項２記載の男性用吸収性物品。
【請求項４】
前記摘み部は、前記男性用吸収性物品を男性用下着の股間部に配置した状態で、該摘み部の先端が前記外側の前立て開口部から男性用下着の外部に突出する形状で形成されている請求項２、３いずれかに記載の男性用吸収性物品。
【請求項５】
前記ウイング部は、１箇所又は男性用吸収性物品の上下方向に間隔を空けた複数箇所に形成されている請求項１〜４いずれかに記載の男性用吸収性物品。
【請求項６】
前記ウイング部に形成されたズレ止め粘着剤層は、男性用吸収性物品の略上下方向に沿うとともに、略幅方向に間隔を空けて複数条形成されるか、男性用吸収性物品の略幅方向に沿うとともに、略上下方向に間隔を空けて複数条形成されている請求項１〜５いずれかに記載の男性用吸収性物品。
【請求項７】
前記ウイング部は、前記男性用吸収性物品の本体部分における幅方向の一方側の端縁から外方に延在して形成されるか、前記男性用吸収性物品の本体部分における幅方向の一方側寄りの中間位置から延在して形成されている請求項１〜６いずれかに記載の男性用吸収性物品。
【請求項８】
前記ウイング部の基端部に沿って、該ウイング部を切り取り可能な引裂き部が設けられている請求項１〜７いずれかに記載の男性用吸収性物品。
【発明の詳細な説明】
【技術分野】
【０００１】
本発明は、特に男性の軽失禁用に適した男性用吸収性物品に係り、詳しくは男性用下着の内側の前立て開口部から表側前立て部と裏側前立て部との間に挿入して固定できるようにしたウイング部を備えた男性用吸収性物品に関する。
【背景技術】
【０００２】
従来より、男性用吸収性物品の装着時におけるパッドのズレを防止するため、下着に固定するためのズレ止め粘着剤層を備えたウイング部を有するものが知られている。
【０００３】
例えば、下記特許文献１においては、本体部の前方部分に、一方の側方に向けて突出するとともに、下着の前開き部分に折り返して固定するためのウイング状フラップが設けられた男性用吸収性物品が開示されている。
【０００４】
また、下記特許文献２においては、男性用パンツの前開き打合わせ部の間に挿入する翼部が横方向外方へ延び、前記前開き打合わせ部に対する止着手段が、前記翼部の外面に形成された男性用尿とりパッドが開示されている。
【０００５】
更に、下記特許文献３においては、カップ状に形成された本体部と、前記本体部の両側から着用者の左右方向にそれぞれ延在するウイング部とを有し、前記ウイング部が着用者のそけい部に当てられ、着用者の肌とパンツとの間で固定されるようにした男性用失禁パッドが開示されている。
【先行技術文献】
【特許文献】
【０００６】
【特許文献１】特開２０１５−５８１９５号公報
【特許文献２】特開２００２−２８２２９２号公報
【特許文献３】特開２０１２−２００４５３号公報
【発明の概要】
【発明が解決しようとする課題】
【０００７】
しかしながら、上記特許文献１、２記載の男性用吸収性物品では、装着のための作業として、ウイング状フラップに備えられたズレ止め粘着剤層を覆う剥離紙を取り除いた後、下着の前開き部分の内側に貼着する必要があり、剥離紙を剥がす工程と、ウイング状フラップを貼着する工程の２工程を要し、手間がかかっていた。また、剥離紙を剥がしてズレ止め粘着剤層を露出した状態で、ウイング状フラップを折り返す作業は、ズレ止め粘着剤層が意図しない部位に貼着したり、ズレ止め粘着剤層同士がくっついたりするおそれがあり、取付け作業が非常に面倒であった。
【０００８】
また、上記特許文献３記載の男性用失禁パッドは、ウイング部が着用者の肌とパンツとの間で固定されるものであり、下着の前開き部に固定できる構造とはなっていない。ウイング部を下着の前開き部に固定できるようにすることは、ウイング部を下着の前開き部を折り返した状態で固定することにより、本体部とウイング部とで下着の前開き部を挟み込むようにして固定できるため、しっかりと固定でき、本体部のズレが確実に防止できるようになるなどの効果を奏する。
【０００９】
そこで本発明の主たる課題は、ウイング部を下着の前開き部に折り返して固定することにより、装着時のズレを確実に防止するとともに、ウイング部の装着が容易にできるようにした男性用吸収性物品を提供することにある。
【課題を解決するための手段】
【００１０】
上記課題を解決するために請求項１に係る本発明として、表側前立て部と裏側前立て部とを重ね合わせて内側と外側にそれぞれ前立て開口部が備えられた男性用下着に貼着して使用可能な男性用吸収性物品において、
前記男性用吸収性物品の幅方向の一方側に向けて延在するとともに、装着時に基端部から幅方向の他方側に折り返すことにより前記内側の前立て開口部から前記表側前立て部と裏側前立て部との間に挿入可能なウイング部が形成されるとともに、前記ウイング部を前記表側前立て部と裏側前立て部との間に挿入した際、前記裏側前立て部に対向する前記ウイング部の面にズレ止め粘着剤層が形成され、前記ズレ止め粘着剤層が剥離シートによって剥離可能に覆われており、
前記男性用吸収性物品を男性用下着の内側の股間部に配置した状態で、前記外側の前立て開口部から前記剥離シートを引っ張り出すことにより、前記ウイング部が基端部から折り返され、前記内側の前立て開口部から前記表側前立て部と裏側前立て部との間に挿入されると同時に、前記剥離シートが前記ズレ止め粘着剤層から剥離して前記ズレ止め粘着剤層が前記裏側前立て部に貼着されるようにしたことを特徴とする男性用吸収性物品が提供される。
【００１１】
上記請求項１記載の発明では、男性用吸収性物品の幅方向の一方側に向けて延在するとともに、装着時に基端部から幅方向の他方側に折り返し可能なウイング部が形成され、このウイング部にはズレ止め粘着剤層が形成されるとともに、このズレ止め粘着剤層が剥離シートによって剥離可能に覆われている。このようなウイング部を備えた男性用吸収性物品を男性用下着に装着するには、前記男性用吸収性物品を男性用下着の内側の股間部に配置した状態で、男性用下着の外側の前立て開口部から手を入れて前記剥離シートを摘んで引っ張り出すことにより、前記ウイング部が基端部から折り返され、前記内側の前立て開口部から前記表側前立て部と裏側前立て部との間に挿入されると同時に、前記剥離シートが前記ズレ止め粘着剤層から剥離して前記ズレ止め粘着剤層が男性用下着の裏側前立て部に貼着されるようにしている。
【００１２】
このように、男性用吸収性物品のウイング部を下着の前開き部に折り返して固定する際、剥離シートを引っ張り出すことにより、ウイング部が男性用下着の所定の前立て部の間に配置されると同時に、ズレ止め粘着剤層が所定の面に貼着されるため、ウイング部の装着が非常に容易にできるようになる。また、剥離シートを剥がしてズレ止め粘着剤層が露出すると同時にズレ止め粘着剤層が下着の裏側前立て部に貼着されるため、ズレ止め粘着剤層が意図しない部分にくっついたりすることなく、装着が容易となる。更に、ウイング部が下着の前開き部に折り返して固定されるため、男性用吸収性物品が下着にしっかりと固定でき、装着時のズレが確実に防止できるようになる。
【００１３】
請求項２に係る本発明として、前記剥離シートには、前記ウイング部の基端側に対応する辺に摘み部が設けられている請求項１記載の男性用吸収性物品が提供される。
【００１４】
上記請求項２記載の発明では、前記剥離シートのうち、ウイング部の基端側に対応する辺に摘み部が設けられているため、ウイング部を下着の前開き部に固定する際、剥離シートが摘みやすく、ウイング部の装着がより一層容易となる。
【００１５】
請求項３に係る本発明として、前記摘み部は、前記剥離シートにおける前記ウイング部の基端側に対応する辺の全長に亘って形成されている請求項２記載の男性用吸収性物品が提供される。
【００１６】
上記請求項３記載の発明では、前記摘み部が剥離シートにおける前記ウイング部の基端側に対応する辺の全長に亘って形成されているため、摘み部を摘んで剥離シートを引っ張ったときに、剥離シートにおけるウイング部の基端側に対応する辺の全長に亘って引張力がほぼ均等に作用するため、剥離シートを引っ張り出しやすくなる。
【００１７】
請求項４に係る本発明として、前記摘み部は、前記男性用吸収性物品を男性用下着の股間部に配置した状態で、該摘み部の先端が前記外側の前立て開口部から男性用下着の外部に突出する形状で形成されている請求項２、３いずれかに記載の男性用吸収性物品が提供される。
【００１８】
上記請求項４記載の発明では、ウイング部が幅方向の一方側に向けて延在した男性用吸収性物品を男性用下着の股間部に配置した状態で、前記摘み部の先端が男性用下着の外側の前立て開口部から外部に突出するため、摘み部が摘みやすくなり、剥離シートを引っ張り出しやすくなる。
【００１９】
請求項５に係る本発明として、前記ウイング部は、１箇所又は男性用吸収性物品の上下方向に間隔を空けた複数箇所に形成されている請求項１〜４いずれかに記載の男性用吸収性物品が提供される。
【００２０】
上記請求項５記載の発明では、前記ウイング部は１箇所に形成してもよいし、男性用吸収性物品の上下方向に間隔を空けた複数箇所に形成してもよい。１箇所に形成した場合には、ウイング部の装着作業が簡単になる。一方、複数箇所に形成した場合には、個々のウイング部が股間部に沿いやすくなり、股間部に対するフィット性がより向上できるようになる。
【００２１】
請求項６に係る本発明として、前記ウイング部に形成されたズレ止め粘着剤層は、男性用吸収性物品の略上下方向に沿うとともに、略幅方向に間隔を空けて複数条形成されるか、男性用吸収性物品の略幅方向に沿うとともに、略上下方向に間隔を空けて複数条形成されている請求項１〜５いずれかに記載の男性用吸収性物品が提供される。
【００２２】
上記請求項６記載の発明では、ウイング部のズレ止め粘着剤層を男性用吸収性物品の略上下方向に沿って配置した場合には、ウイング部を下着の前開き部に固定する際、剥離シートが内側のズレ止め粘着剤層から順に剥離して、剥離したズレ止め粘着剤層から順次下着に貼着できるようになる。一方、前記ズレ止め粘着剤層を男性用吸収性物品の略幅方向に沿って配置した場合には、ウイング部を下着に固定した際、上下方向にシワが入りにくく、装着時の違和感が軽減できるとともに、装着状態の外観が良好となる。
【００２３】
請求項７に係る本発明として、前記ウイング部は、前記男性用吸収性物品の本体部分における幅方向の一方側の端縁から外方に延在して形成されるか、前記男性用吸収性物品の本体部分における幅方向の一方側寄りの中間位置から延在して形成されている請求項１〜６いずれかに記載の男性用吸収性物品が提供される。
【００２４】
上記請求項７記載の発明では、男性用吸収性物品に対するウイング部を形成する位置について規定している。前記ウイング部を男性用吸収性物品の本体部分における幅方向の一方側の端縁から外方に延在して形成することにより、ウイング部が明確に識別でき、装着時に剥離シートを引っ張り出しやすくなる。また、前記ウイング部を男性用吸収性物品の本体部分における幅方向の一方側寄りの中間位置から延在して形成した場合、男性用吸収性物品の本体部分によって男性用下着の広い範囲が覆われるため、体液の吸収能力が向上できる。
【００２５】
請求項８に係る本発明として、前記ウイング部の基端部に沿って、該ウイング部を切り取り可能な引裂き部が設けられている請求項１〜７いずれかに記載の男性用吸収性物品が提供される。
【００２６】
上記請求項８記載の発明では、ウイング部の基端部に沿って、該ウイング部を切り取り可能な引裂き部が設けられているため、前記引裂き部を引き裂いて前記ウイング部を取り外すことにより、前立て開口部を有さない男性用下着にも使用可能となる。
【発明の効果】
【００２７】
以上詳説のとおり本発明によれば、ウイング部を下着の前開き部に折り返して固定することにより、装着時のズレが確実に防止でき、ウイング部の装着が容易にできるようになる。
【図面の簡単な説明】
【００２８】
【図１】本発明に係る男性用吸収性物品１の一部破断裏面図である。
【図２】図１のII−II線矢視図である。
【図３】装着要領（その１）を示す男性用下着３０の正面図である。
【図４】図３のIV−IV線矢視図である。
【図５】装着要領（その２）を示す男性用下着３０の正面図である。
【図６】図５のVI−VI線矢視図である。
【図７】変形例に係る男性用吸収性物品１の裏面図である。
【図８】変形例に係る男性用吸収性物品１の裏面図である。
【図９】装着要領を示す男性用下着３０の正面図である。
【図１０】変形例に係る男性用吸収性物品１の裏面図である。
【図１１】変形例に係る男性用吸収性物品１の裏面図である。
【図１２】変形例に係る男性用吸収性物品１の裏面図である。
【図１３】装着状態を示す男性用下着３０の正面図である。
【図１４】変形例に係る男性用吸収性物品１の裏面図である。
【図１５】他の形態例に係る男性用吸収性物品１の裏面図である。
【図１６】装着要領を示す男性用下着３０の横断面図（図３のIV−IV線矢視図）である。
【発明を実施するための形態】
【００２９】
以下、本発明の実施の形態について図面を参照しながら詳述する。
【００３０】
＜男性用吸収性物品１の基本構造＞
本発明に係る男性用吸収性物品１は、図１及び図２に示されるように、ポリエチレンシート、ポリプロピレンシートなどからなる不透液性裏面シート２と、尿などの体液を速やかに透過させる透液性表面シート３と、これら両シート２，３間に介在された綿状パルプまたは合成パルプなどからなる吸収体４と、この吸収体４の形状保持および拡散性向上のために前記吸収体４の少なくとも肌側面及び非肌側面を覆うクレープ紙又は不織布などからなる被包シート５と、幅方向の一方側に向けて延在するウイング部６とから構成されている。また、前記吸収体４の周囲において、前記不透液性裏面シート２と透液性表面シート３との外縁部がホットメルトなどの接着剤やヒートシール、超音波シール等の接合手段によって接合され、外周に吸収体４の存在しないフラップ部Ｆが形成されている。
【００３１】
以下、さらに前記男性用吸収性物品１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３２】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３３】
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、図示のように、形状保持、および体液を速やかに拡散させるとともに、一旦吸収した体液の逆戻りを防止するために被包シート５によって覆われるのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体や、２層の不織布層間に高吸水性樹脂を配置してなるポリマーシートを用いてもよい。
【００３４】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３５】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。
【００３６】
本例のように、吸収体４を覆う被包シート５を設ける場合には、結果的に透液性表面シート３と吸収体４との間に被包シート５が介在することになる。前記被包シート５がクレープ紙からなる場合には、吸収性に優れる前記被包シート５によって尿を速やかに拡散させるとともに、これら尿の逆戻りを防止するようになる。
【００３７】
前記吸収体４及び被包シート５のいずれか一方又は両方は、白色以外の色、好ましくは黒色や灰色など、比較的暗い、明度が小さな色を有しているのが好ましい。本発明は男性用吸収性物品に関するものなので、比較的暗い色を用いることにより男性用として落ち着いた印象を与えるとともに、暗い色の下着に装着したときに目立ちにくくなり、かつ排尿の跡も目立ちにくくなる。着色方法は特に限定されず、適宜の染色方法、或いは着色原料を用いることができる。また、吸収体４及び被包シート５のいずれか一方又は両方に活性炭を含有することにより、着色を施してもよい。これにより、活性炭による消臭効果も付加できるようになる。
【００３８】
図１に示されるように、前記透液性表面シート３と不透液性裏面シート２との間に吸収体４が介在された本体部分の前記不透液性裏面シート２の外面（非肌当接面）には、男性用下着３０の内面に対する固定のために適宜の塗布パターンによって複数条の、図示例では男性用吸収性物品１の上下方向に沿う２条の本体用ズレ止め粘着剤層７、７が形成されているとともに、これら本体用ズレ止め粘着剤層７…が本体用剥離シート８によって剥離可能に覆われている。
【００３９】
前記本体用ズレ止め粘着剤層７を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００４０】
前記本体用剥離シート８としては、本体用ズレ止め粘着剤層７に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。なお、特別に離型処理をしなくても、実質的に粘着力の低下を招かないものであれば、フィルムそのものであっても、不織布そのものであっても良い。
【００４１】
男性用吸収性物品１の本体部分の平面形状としては、図１に示されるように、股間部へのフィット性を高めるため、上側が幅広で下側が幅狭の略台形状とするのが好ましい。また、この他に、逆三角形状や円形状、楕円形状、多角形状などとしても構わない。男性用吸収性物品１の本体部分の上側の外形幅としては、１００〜１５０ｍｍとするのがよく、下側の外形幅としては、６０〜８０ｍｍとするのがよい。
【００４２】
＜男性用下着＞
前記男性用吸収性物品１は、図３及び図４に示されるように、前開きタイプの男性用下着３０に対し、前身頃中央部の内側面（肌当接面）に貼着して使用可能とされている。前記男性用下着３０の前身頃には、表側前立て部３１と裏側前立て部３２とを重ね合わせることにより、内側（肌当接面側）と外側にそれぞれ、内側前立て開口部３３ａ及び外側前立て開口部３３ｂが備えられている。前記内側前立て開口部３３ａと外側前立て開口部３３ｂとの間は、表側前立て部３１と裏側前立て部３２とが積層され、男性用下着３０の内側（肌当接面側）と外側とが連通している。
【００４３】
前記外側前立て開口部３３ｂは、男性用下着３０の外側において、通常着用者の右側に向けて開口しており、前記内側前立て開口部３３ａは、男性用下着３０の内側（肌当接面側）において、通常着用者の左側に向けて開口している。
【００４４】
＜ウイング部＞
図１に示される男性用吸収性物品１の展開状態で、前記ウイング部６は、前記透液性表面シート３と不透液性裏面シート２との間に吸収体４が介在された本体部分から、幅方向の一方側、具体的には前記男性用下着３０の内側前立て開口部３３ａが着用者の左側に向けて開口している関係上、男性用吸収性物品１の装着状態で着用者の左側に向けて延在して形成されている。
【００４５】
図１及び図２に示されるように、前記ウイング部６は、本体部分とは別体のウイング用シート９が本体部分に接合されて形成するのが好ましいが、本体部分のシート材、例えば不透液性裏面シート２又は不透液性裏面シート２及び透液性表面シート３を幅方向に延在させることにより形成してもよい。
【００４６】
前記ウイング用シート９としては、プラスチックシートを用いるのが好ましいが、不織布シートやポリエチレンシート等に不織布を積層したラミネート不織布などを用いることもできる。また、ムレ防止の観点から透湿性を有する微多孔性シートを用いてもよい。このウイング用シート９を接合するには、吸収体４の存在しない前記不透液性裏面シート２と透液性表面シート３とが接合されたフラップ部Ｆに対し、ホットメルトなどの接着剤やヒートシール、超音波シール等の接合手段を用いて行うことができる。
【００４７】
前記ウイング部６は、図５及び図６に示されるように、男性用吸収性物品１の装着時に、基端部から不透液性裏面シート２側に折り返すことにより、幅方向の他方側、具体的には男性用吸収性物品１の装着状態で着用者の右側に向けて延びるように配置される。このとき、折り返した状態で、前記ウイング部６は、男性用下着３０の内側前立て開口部３３ａから表側前立て部３１と裏側前立て部３２との間に挿入可能となっている。
【００４８】
また、図５及び図６に示されるように、前記ウイング部６を基端部から折り返して、表側前立て部３１と裏側前立て部３２との間に挿入した際、前記ウイング部６の裏側前立て部３２に対向する面には、この裏側前立て部３２に対する固定のために適宜の塗布パターンによって複数条の、図示例では男性用吸収性物品１の上下方向に沿う２条のウイング用ズレ止め粘着剤層１０、１０が形成されているとともに、これらウイング用ズレ止め粘着剤層１０…がウイング用剥離シート１１によって剥離可能に覆われている。
【００４９】
前記ウイング用ズレ止め粘着剤層１０を形成する粘着剤としては、上述の本体用ズレ止め粘着剤層７と同様に、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００５０】
また、前記ウイング用剥離シート１１としては、前記本体用剥離シート８と同様に、ウイング用ズレ止め粘着剤層１０に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。なお、特別に離型処理をしなくても、実質的に粘着力の低下を招かないものであれば、フィルムそのものであっても、不織布そのものであっても良い。ウイング用剥離シート１１の場合、装着時に、該ウイング用剥離シート１１を引っ張って円滑にウイング部６が下着の前開き部から表側前立て部３１と裏側前立て部３２との間に挿入できるように、可撓性に富むプラスチックシートを用いるのがよい。
【００５１】
次いで、上記の構成からなる男性用吸収性物品１を男性用下着３０に装着する手順について説明する。先ずはじめに、図３及び図４に示されるように、男性用吸収性物品１の本体用剥離シート８を剥がして本体用ズレ止め粘着剤層７、７を男性用下着３０の股間部の内側に固定する。このとき、ウイング部６は、幅方向の一方側（着用者の左側）に延在した状態のままとする。
【００５２】
この状態で、図４に示されるように、外側前立て開口部３３ｂから男性用下着３０の内側に手を入れてウイング用剥離シート１１を摘み、このウイング用剥離シート１１を引っ張り出すことにより、図５及び図６に示されるように、前記ウイング部６が基端部から折り返され、内側前立て開口部３３ａから表側前立て部３１と裏側前立て部３２との間に挿入されると同時に、前記ウイング用剥離シート１１が前記ウイング用ズレ止め粘着剤層１０から剥離して、ウイング用ズレ止め粘着剤層１０が裏側前立て部３２に貼着される。
【００５３】
このように、本男性用吸収性物品１では、ウイング部６を男性用下着３０の前立て開口部に装着するに当たって、前記ウイング用剥離シート１１を引っ張り出す動作だけで、ウイング部６が所定の前立て部の間に配置されると同時に、ウイング用ズレ止め粘着剤層１０が所定の下着の面に貼着して男性用吸収性物品１を固定できるため、ウイング部６の装着が非常に容易になる。また、ウイング用剥離シート１１を剥がしてウイング用ズレ止め粘着剤層１０が露出すると同時に、ウイング用ズレ止め粘着剤層１０が男性用下着３０の裏側前立て部３２に貼着されるため、ウイング用ズレ止め粘着剤層１０が意図しない部分にくっついたり、ウイング用ズレ止め粘着剤層１０同士がくっついたりすることがなく、装着が容易となる。更に、ウイング部６が男性用下着３０の前開き部を折り返して裏側前立て部３２に固定されるため、男性用吸収性物品１が男性用下着３０にしっかりと固定でき、装着時のズレが確実に防止できるようになる。
【００５４】
前記ウイング部６について更に詳しく説明すると、前記ウイング部６の平面形状は、図５に示されるように、男性用下着３０との固定性を高めるため、ウイング部６を男性用下着３０の表側前立て部３１と裏側前立て部３２との間に挿入した状態（ウイング部６を基端部から幅方向の他方側に折り返した状態）で、下側が幅狭の略台形状に形成するのが好ましい。この他に、逆三角形状や円形状、楕円形状、多角形状などでも構わない。
【００５５】
また、図５に示されるように、ウイング部６を男性用下着３０の表側前立て部３１と裏側前立て部３２との間に挿入した状態で、前記ウイング部６の男性用下着３０の上下方向に延びる長さであるウイング幅Ａ（ウイング部６を基端部から幅方向の他方側に折り返したときの男性用吸収性物品１の上下方向の長さ）は、男性用下着３０の前立て開口部の範囲内とするのが好ましい。具体的に前記ウイング幅Ａは、３０〜１５０ｍｍ、好ましくは５０〜１５０ｍｍとするのがよい。また、同じくウイング部６を男性用下着３０の表側前立て部３１と裏側前立て部３２との間に挿入した状態で、男性用下着３０の幅方向に延びる最大長さであるウイング長さＢ（ウイング部６を基端部から幅方向の他方側に折り返したときの男性用吸収性物品１の幅方向の最大長さ）は、男性用下着３０の表側前立て部３１と裏側前立て部３２とが重ね合わされた範囲内とするのが好ましい。具体的に前記ウイング長さＢは、１５〜９０ｍｍ、好ましくは３０〜９０ｍｍとするのがよい。
【００５６】
図７に示されるように、前記ウイング用剥離シート１１には、前記ウイング部６の基端側に対応する辺１１ａに摘み部１２が設けられるのが好ましい。前記摘み部１２は、図３に示されるように、男性用吸収性物品１を男性用下着３０の内側の股間部に配置した状態で、外側前立て開口部３３ｂから表側前立て部３１と裏側前立て部３２との間に手を入れて剥離シート１１を引っ張り出しやすくするために設けられるものである。前記摘み部１２は、剥離シート１１の男性用吸収性物品１の本体側、すなわち、図３に示されるように、男性用吸収性物品１を男性用下着３０の内側の股間部に配置した状態で、外側前立て開口部３３ｂから表側前立て部３１と裏側前立て部３２との間に手を入れたときに、最も内側前立て開口部３３ａに近い側の辺１１ａに、該辺１１ａからウイング部６の基端側（男性用吸収性物品１の本体側）、すなわち、図３に示されるように、男性用吸収性物品１を男性用下着３０の内側の股間部に配置した状態で、男性用下着３０の内側前立て開口部３３ａに向けた側に突出して設けられている。
【００５７】
前記摘み部１２は、前記ウイング用剥離シート１１を延在させることにより形成してもよいし、前記ウイング用剥離シート１１と異なる素材又は同じ素材からなる摘み部１２を前記ウイング用剥離シート１１の所定の部位に接合するようにしてもよい。
【００５８】
前記摘み部１２は、図７に示されるように、前記ウイング用剥離シート１１におけるウイング部６の基端側に対応する辺１１ａの略中央部に、該辺１１ａの長さより短い幅で形成してもよいが、図８に示されるように、ウイング用剥離シート１１におけるウイング部６の基端側に対応する辺１１ａの全長に亘って形成するのが望ましい。すなわち、摘み部１２の基端部の幅と、ウイング用剥離シート１１におけるウイング部６の基端側に対応する辺１１ａの幅とがほぼ同等に形成されるのが望ましい。これにより、摘み部１２を摘んでウイング用剥離シート１１を引っ張ったときに、ウイング用剥離シート１１におけるウイング部６の基端側に対応する辺１１ａの全長に亘って引張力がほぼ均等に作用するため、ウイング用剥離シート１１を引っ張り出しやすくなる。
【００５９】
また、前記ウイング用剥離シート１１を引っ張り出しやすくするため、図９に示されるように、前記男性用吸収性物品１を男性用下着３０の股間部に配置した状態で、前記摘み部１２の先端が男性用下着３０の外側前立て開口部３３ｂから外部に突出する形状で形成するのが好ましい。これにより、摘み部１２が摘みやすくなり、ウイング用剥離シート１１を引っ張り出しやすくする。前記男性用吸収性物品１を男性用下着３０の股間部に配置した状態で、前記摘み部１２は、男性用下着３０の内側前立て開口部３３ａから表側前立て部３１と裏側前立て部３２との間に挿入され、摘み部１２の先端が男性用下着３０の外側前立て開口部３３ｂから外部に突出するように配置される。この場合の前記摘み部１２の素材としては、前記摘み部１２を表側前立て部３１と裏側前立て部３２との間に挿入しやすいように、コシのある厚手のプラスチックシートを用いるのが好ましい。
【００６０】
前記摘み部１２の平面形状は任意である。例えば、図７に示されるように、略半割れの楕円形状や円形状、多角形状などで形成することができる。特に、図９に示されるように、男性用吸収性物品１を男性用下着３０の股間部に配置した状態で、摘み部１２の先端を男性用下着３０の外側前立て開口部３３ｂから外部に突出させる場合、前記ウイング用剥離シート１１におけるウイング部６の基端側の辺１１ａの両端から直線的に延びる三角形状で形成するのが望ましい。これにより、男性用下着３０の外側前立て開口部３３ｂから外部に突出する摘み部１２の先端が鋭角状になって摘みやすくなるとともに、この摘み部１２を男性用下着の表側前立て部３１と裏側前立て部３２との間に配置する際に、摘み部１２が折れ曲がったり、よれたりするのが抑えられ、配置しやすくなる。
【００６１】
前記ウイング部６は、図１に示されるように、男性用吸収性物品１の本体部分の上下方向の略中央部に１つ形成されるようにしてもよいし、図１０に示されるように、男性用吸収性物品１の上下方向に間隔を空けて複数箇所、図示例では２箇所に形成されるようにしてもよい。１箇所に形成した形態では、ウイング部６の装着作業が必ず１回で済むため、作業が簡略化できる点で好ましい。一方、複数箇所に形成した形態では、各ウイング部６がそれぞれの部位において股間部の形状に沿って下着に貼着されるため、股間部に対するフィット性が向上できる点で好ましい。
【００６２】
図１０に示される例では、各ウイング部６、６に設けられたウイング用ズレ止め粘着剤層１０、１０を、それぞれ別のウイング用剥離シート１１で覆っているが、複数のウイング部６、６に設けられたウイング用ズレ止め粘着剤層１０、１０…を、１つのウイング用剥離シート１１で一体的に覆うようにしてもよい（図示せず）。これにより、ウイング部６の装着が１回の手間で済むようになる。
【００６３】
前記ウイング用ズレ止め粘着剤層１０は、図１に示されるように、前記ウイング部６に対して、男性用吸収性物品１の略上下方向に沿うとともに、略幅方向に間隔を空けて複数条形成するようにしてもよいし、図１１に示されるように、男性用吸収性物品１の略幅方向に沿うとともに、略上下方向に間隔を空けて複数条形成されるようにしてもよい。男性用吸収性物品１の略上下方向に沿うとは、図５に示されるように、ウイング部６を男性用下着３０の表側前立て部３１と裏側前立て部３２との間に挿入した状態（ウイング部６を基端部から幅方向の他方側に折り返した状態）で、男性用吸収性物品１の上下方向に沿って配置されることである。同様に、男性用吸収性物品１の略幅方向に沿うとは、図５に示されるように、ウイング部６を男性用下着３０の表側前立て部３１と裏側前立て部３２との間に挿入した状態（ウイング部６を基端部から幅方向の他方側に折り返した状態）で、男性用吸収性物品１の幅方向に沿って配置されることである。
【００６４】
前記ウイング用ズレ止め粘着剤層１０を男性用吸収性物品１の略上下方向に沿って配置した場合には、ウイング部６を男性用下着３０の内側前立て開口部３３ａから表側前立て部３１と裏側前立て部３２との間に挿入する際、剥離シート１１が内側のウイング用ズレ止め粘着剤層１０から順に剥離して、剥離したウイング用ズレ止め粘着剤層１０が順次男性用下着３０に貼着するため、下着に対する固定性が良好となる。また、ウイング用剥離シート１１を引っ張り出す際に、ウイング用ズレ止め粘着剤層１０の全長に亘って、ウイング部６を幅方向の他方側に折り返す引張力が作用するため、ウイング部６が確実に折り返されながら男性用下着３０の表側前立て部３１と裏側前立て部３２との間に挿入されるようになる。
【００６５】
一方、前記ウイング用ズレ止め粘着剤層１０を男性用吸収性物品１の略幅方向に沿って配置した場合には、ウイング部６を男性用下着３０に固定した際、男性用下着３０に上下方向に沿ったシワが入りにくく、装着時の違和感が軽減できるとともに、装着状態における外観が良好となる。また、ウイング用剥離シート１１がウイング用ズレ止め粘着剤層１０から剥離する際、各ウイング用ズレ止め粘着剤層１０の長手方向の端部から徐々に剥がれるので、剥離の際の抵抗力が小さく抑えられ、剥離が容易となる。
【００６６】
前記ウイング用ズレ止め粘着剤層１０を複数条で形成する場合には、各粘着剤層の目付は同じでもよいし、異なっていてもよい。異なる目付とする場合、例えば、前記ウイング用ズレ止め粘着剤層１０を男性用吸収性物品１の略上下方向に沿って配置したときに、男性用吸収性物品１の本体側（ウイング部６の基端側）に近い方が目付が高くなるようにすることにより、ウイング用剥離シート１１を引っ張った初期の引張力がウイング部６に大きく作用し、ウイング部６が幅方向の他方側に折り返りやすくなるとともに、下着に対して、ウイング部６の基端側の方が強固に固定できるので、装着時の男性用吸収性物品１のズレがより確実に防止できるようになる。
【００６７】
前記ウイング部６は、図１に示されるように、男性用吸収性物品１の本体部分における幅方向の一方側の端縁から、前記本体部分より外方に延在して形成してもよいし、図１２に示されるように、男性用吸収性物品１の本体部分における幅方向の一方側寄りの中間位置から、前記本体部分と一部又は全部が重なるように幅方向の一方側に延在して形成してもよい。本体部分の幅方向端縁から外側に延在して形成した場合には、ウイング部６が明確に識別でき、装着時にウイング用剥離シート１１の位置が判りやすく、ウイング用剥離シート１１を引っ張り出しやすくする。一方、本体部分の中間位置に形成した場合には、図１３に示されるように、男性用吸収性物品１の本体部分によって男性用下着３０の広い範囲が覆われるため、男性用吸収性物品１の体液の吸収能力が向上できる。前記ウイング部６を本体部分の中間位置に形成する場合にも、図１２に示されるように、内側前立て開口部３３ａの傾斜に合わせて又は男性用吸収性物品１の本体部分の幅方向両端の外形線の傾斜に合わせて、傾斜して配置するのが好ましい。これにより、ウイング部６が男性用下着３０の所定位置に固定しやすくなる。
【００６８】
図１４に示されるように、本男性用吸収性物品１では、前記ウイング部６の基端部に沿って、該ウイング部６を切り取り可能な引裂き部１３を設けてもよい。これにより、前記引裂き部１３を引き裂いてウイング部６を取り外すことができ、前立て開口部を有さない男性用下着３０にも装着可能となる。前記引裂き部１３は、ウイング部６の全幅に亘って形成されたミシン目、圧搾線などの易引き裂き部である。
【００６９】
〔他の形態例〕
上記形態例では、前記本体用剥離シート８とウイング用剥離シート１１とを、それぞれ別体のシートで構成していたが、図１５に示されるように、本体用剥離シート８とウイング用剥離シート１１とが連続した一体の剥離シートで構成されるようにしてもよい。すなわち、この一体の剥離シートは、本体用ズレ止め粘着剤層７…を覆う本体用剥離シート８の部分と、ウイング用ズレ止め粘着剤層１０…を覆うウイング用剥離シート１１の部分と、これらを連結する連結シート１４の部分とからなる一体のシートで構成されている。前記剥離シートは、１枚のシートで構成してもよいし、２枚以上のシートを接合して一体化してもよい。
【００７０】
この一体の剥離シートを備えた男性用吸収性物品１を男性用下着３０に装着するには、図１６に示されるように、前記剥離シートのうち、本体用剥離シート８の部分を剥がして本体用ズレ止め粘着剤層７…を男性用下着３０の股間部の内側に固定する。このとき、前記剥離シートのうち、ウイング用剥離シート１１の部分はウイング用ズレ止め粘着剤層１０…を覆った状態に維持され、このウイング用剥離シート１１の男性用吸収性物品１の本体側に連続して、いずれにも固定されない自由な前記本体用剥離シート８の部分及び連結シート１４の部分が延在した状態となっている。
【００７１】
次いで、外側前立て開口部３３ｂから男性用下着３０の内側に手を入れてウイング用剥離シート１１を引っ張り出す。このとき、前記ウイング用剥離シート１１の内側に延在する前記本体用剥離シート８又は連結シート１４は、ウイング用剥離シート１１を引っ張り出す際の摘み部として利用することができる。このため、本形態例では、ウイング用剥離シート１１が引っ張り出しやすくなり、ウイング部の装着が更に容易にできるなどの利点がある。
【符号の説明】
【００７２】
１…男性用吸収性物品、２…不透液性裏面シート、３…透液性表面シート、４…吸収体、５…被包シート、６…ウイング部、７…本体用ズレ止め粘着剤層、８…本体用剥離シート、９…ウイング用シート、１０…ウイング用ズレ止め粘着剤層、１１…ウイング用剥離シート、１２…摘み部、１３…引裂き部、３０…男性用下着、３１…表側前立て部、３２…裏側前立て部、３３ａ…内側前立て開口部、３３ｂ…外側前立て開口部
【図１】
2019154888.tif 000003
【図２】
2019154888.tif 000004
【図３】
2019154888.tif 000005
【図４】
2019154888.tif 000006
【図５】
2019154888.tif 000007
【図６】
2019154888.tif 000008
【図７】
2019154888.tif 000009
【図８】
2019154888.tif 000010
【図９】
2019154888.tif 000011
【図１０】
2019154888.tif 000012
【図１１】
2019154888.tif 000013
【図１２】
2019154888.tif 000014
【図１３】
2019154888.tif 000015
【図１４】
2019154888.tif 000016
【図１５】
2019154888.tif 000017
【図１６】
2019154888.tif 000018